(57)【要約】      （修正有）【課題】打ち込み杭、延伸杭、及び連結杭部を備えるプレキャストパイルを提供する。【解決手段】プレキャストパイルは打ち込み杭１００を少なくとも備える。打ち込み杭は、複数本の主筋１１１及びこれら前記主筋を包囲させるあばら筋１１２で構成され、主筋とあばら筋との交叉する箇所は対向する位置で固定される鉄筋籠１１０と、コンクリートで鉄筋籠を被覆して形成され、その一端には尖端を形成させる打ち込み杭と、尖端を被覆させる円錐形マスク１３０を含む。【選択図】図１Ａ
0003181886.tif 000002
【実用新案登録請求の範囲】
【請求項１】
打ち込み杭と、延伸杭と、連結杭部を備え、前記打ち込み杭は、複数本の主筋及びこれら前記主筋を包囲させるあばら筋からなり、主筋とあばら筋との交叉する箇所は対向する位置で固定される鉄筋籠と、コンクリートにより前記鉄筋籠を被覆させて形成され、その一端には尖端を形成させる打ち込み杭と、前記尖端を被覆させる円錐形マスクを更に含み、
前記延伸杭は、複数本の主筋及びこれら前記主筋を包囲させるあばら筋からなり、主筋とあばら筋との交叉する箇所は対向する位置で固定される鉄筋籠と、コンクリートにより前記鉄筋籠を被覆させて形成される延伸杭体と、前記延伸杭体の一端を被覆させ、前記延伸杭は前記第一延伸杭マスクと前記打ち込み杭マスクとを接合させて連結させ、前記打ち込み杭の他端に接続させる第一延伸杭マスクを更に含み、前記連結杭部は、連結杭体と、前記連結杭体の一端に位置され、前記連結杭部は前記接合部を前記打ち込み杭マスクに接合させて連結させ、前記打ち込み杭の他端に接続させる接合部を更に含む事を特徴とするプレキャストパイル。
【請求項２】
少なくとも前記連結杭部は建築基準面上に立設される主杭と、互いに距離を空けながら前記建築基準面に立設され且つ前記主杭の周囲に立設され、これらの上端の主筋は外に露出される複数本の副杭と、橋台を備え、前記橋台は、これら前記副杭を包囲させ、これら前記副杭の主筋との交叉する箇所を固定させる少なくとも１つのあばら筋と、コンクリートを流し込みこれら前記副杭及び前記あばら筋を被覆させる複合橋体を更に含む事を特徴とする複合杭構造。
【考案の詳細な説明】
【技術分野】
【０００１】
本考案は、プレキャスト建築物構造体のプレキャストパイルに関する。
【背景技術】
【０００２】
いわゆる「プレキャスト工法」はプレキャスト工場或いは工事現場周辺で標準化された作業工程及びモジュール化されたモジュールにより、精密な杭、梁、板体等の構造体の部材を高速に大量生産する。精確な運搬管理及び組立作業により、生産された杭、梁、板体等の部材を工事現場で組み立てて建設する。
【考案の概要】
【考案が解決しようとする課題】
【０００３】
しかしながら、前述した従来の技術では、上述の杭、梁、板体は建築物の基礎のパイルの建設完了後、パイル上に組み立てて建設させ、パイルの建設には従来の建設工法が用いられる。
【０００４】
そこで、本発明者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、打ち込み杭、延伸杭、及び連結杭部で構成されるプレキャストパイル、並びに主杭、複数本の副杭、及び橋台で構成される複合杭構造を提供することを主目的とする。
【課題を解決するための手段】
【０００６】
上述した課題を解決し、目的を達成するために、本考案に係るプレキャストパイルは、
打ち込み杭と、延伸杭と、連結杭部を備え、前記打ち込み杭は、複数本の主筋及びこれら前記主筋を包囲させるあばら筋からなり、主筋とあばら筋との交叉する箇所は対向する位置で固定される鉄筋籠と、コンクリートにより前記鉄筋籠を被覆させて形成され、その一端には尖端を形成させる打ち込み杭と、前記尖端を被覆させる円錐形マスクを更に含み、
前記延伸杭は、複数本の主筋及びこれら前記主筋を包囲させるあばら筋からなり、主筋とあばら筋との交叉する箇所は対向する位置で固定される鉄筋籠と、コンクリートにより前記鉄筋籠を被覆させて形成される延伸杭体と、前記延伸杭体の一端を被覆させ、前記延伸杭は前記第一延伸杭マスクと前記打ち込み杭マスクとを接合させて連結させ、前記打ち込み杭の他端に接続させる第一延伸杭マスクを更に含み、前記連結杭部は、連結杭体と、前記連結杭体の一端に位置され、前記連結杭部は前記接合部を前記打ち込み杭マスクに接合させて連結させ、前記打ち込み杭の他端に接続させる接合部を更に含むことを特徴とする。
【図面の簡単な説明】
【０００７】
【図１Ａ】本考案に係るプレキャストパイルの打ち込み杭の概略図である。
【図１Ｂ】本考案に係るプレキャストパイルの延伸杭の概略図である。
【図１Ｃ】本考案に係るプレキャストパイルの連結杭部の概略図である。
【図１Ｄ】本考案に係るプレキャストパイルを地面に打ち込む際に用いる杭打槌の概略図である。
【図２Ａ】本考案に係るプレキャストパイルを地面に打ち込む施工順序の概略図である。
【図２Ｂ】本考案に係るプレキャストパイルを地面に打ち込む施工順序の概略図である。
【図２Ｃ】本考案に係るプレキャストパイルを地面に打ち込む施工順序の概略図である。
【図３Ａ】図２Ａ乃至図２Ｃの打ち込まれたプレキャストパイルを用いてボトムアップ工法を施工させる順序の概略図である。
【図３Ｂ】図２Ａ乃至図２Ｃの打ち込まれたプレキャストパイルを用いてボトムアップ工法を施工させる順序の概略図である。
【図３Ｃ】図２Ａ乃至図２Ｃの打ち込まれたプレキャストパイルを用いてボトムアップ工法を施工させる順序の概略図である。
【図３Ｄ】図２Ａ乃至図２Ｃの打ち込まれたプレキャストパイルを用いてボトムアップ工法を施工させる順序の概略図である。
【図３Ｅ】図２Ａ乃至図２Ｃの打ち込まれたプレキャストパイルを用いてボトムアップ工法を施工させる順序の概略図である。
【図３Ｆ】図２Ａ乃至図２Ｃの打ち込まれたプレキャストパイルを用いてボトムアップ工法を施工させる順序の概略図である。
【図４Ａ】本考案に係るプレキャストパイルを地面に打ち込む施工順序の概略図である。
【図４Ｂ】本考案に係るプレキャストパイルを地面に打ち込む施工順序の概略図である。
【図４Ｃ】本考案に係るプレキャストパイルを地面に打ち込む施工順序の概略図である。
【図４Ｄ】本考案に係るプレキャストパイルを地面に打ち込む施工順序の概略図である。
【図４Ｅ】本考案に係るプレキャストパイルを地面に打ち込む施工順序の概略図である。
【図４Ｆ】本考案に係るプレキャストパイルを地面に打ち込む施工順序の概略図である。
【図４Ｇ】本考案に係るプレキャストパイルを地面に打ち込む施工順序の概略図である。
【図４Ｈ】本考案に係るプレキャストパイルを地面に打ち込む施工順序の概略図である。
【図５Ａ】図４Ａ乃至図４Ｈの打ち込まれたプレキャストパイルを用いてトップダウン工法を施工させ複合杭構造を形成させる順序の概略図である。
【図５Ｂ】図４Ａ乃至図４Ｈの打ち込まれたプレキャストパイルを用いてトップダウン工法を施工させ複合杭構造を形成させる順序の概略図である。
【図５Ｃ】図４Ａ乃至図４Ｈの打ち込まれたプレキャストパイルを用いてトップダウン工法を施工させ複合杭構造を形成させる順序の概略図である。
【図５Ｄ】図４Ａ乃至図４Ｈの打ち込まれたプレキャストパイルを用いてトップダウン工法を施工させ複合杭構造を形成させる順序の概略図である。
【図５Ｅ】図４Ａ乃至図４Ｈの打ち込まれたプレキャストパイルを用いてトップダウン工法を施工させ複合杭構造を形成させる順序の概略図である。
【図５Ｆ】図４Ａ乃至図４Ｈの打ち込まれたプレキャストパイルを用いてトップダウン工法を施工させ複合杭構造を形成させる順序の概略図である。
【図５Ｇ】図４Ａ乃至図４Ｈの打ち込まれたプレキャストパイルを用いてトップダウン工法を施工させ複合杭構造を形成させる順序の概略図である。
【図５Ｈ】図４Ａ乃至図４Ｈの打ち込まれたプレキャストパイルを用いてトップダウン工法を施工させ複合杭構造を形成させる順序の概略図である。
【図５Ｉ】図４Ａ乃至図４Ｈの打ち込まれたプレキャストパイルを用いてトップダウン工法を施工させ複合杭構造を形成させる順序の概略図である。
【図５Ｊ】図４Ａ乃至図４Ｈの打ち込まれたプレキャストパイルを用いてトップダウン工法を施工させ複合杭構造を形成させる順序の概略図である。
【図５Ｋ】図４Ａ乃至図４Ｈの打ち込まれたプレキャストパイルを用いてトップダウン工法を施工させ複合杭構造を形成させる順序の概略図である。
【図５Ｌ】図４Ａ乃至図４Ｈの打ち込まれたプレキャストパイルを用いてトップダウン工法を施工させ複合杭構造を形成させる順序の概略図である。
【図５Ｍ】図４Ａ乃至図４Ｈの打ち込まれたプレキャストパイルを用いてトップダウン工法を施工させ複合杭構造を形成させる順序の概略図である。
【図５Ｎ】図４Ａ乃至図４Ｈの打ち込まれたプレキャストパイルを用いてトップダウン工法を施工させ複合杭構造を形成させる順序の概略図である。
【考案を実施するための形態】
【０００８】
以下に図面を参照して、本考案を実施するための形態について、詳細に説明する。なお、本考案は、以下に説明する実施形態に限定されるものではない。
【０００９】
図１Ａ及び図１Ｂによると、前記打ち込み杭１００及び延伸杭２００の鉄筋籠１１０及び鉄筋籠２１１は複数本の主筋１１１、複数本の主筋２１１、包囲させるあばら筋１１２、及び包囲させるあばら筋２１２を備え、交叉する箇所は対向する位置で固定される。完成した鉄筋籠１１０及び鉄筋籠２１１はモジュールに設置されコンクリートを流し込み一端に尖端を有する打ち込み杭１２０及び延伸杭体２２０を形成させる。前記打ち込み杭１２０の尖端は金属で形成される円錐形マスク１３０で被覆され、他端は面取り部１４１を有する金属で形成される打ち込み杭マスク１４０で被覆され、前記延伸杭体２２０の一端は面取り部２３１を有する金属で形成される第一延伸杭マスク２３０で被覆され、他端は面取り部２４１を有する金属で形成される第二延伸杭マスク２４０で被覆される。
【００１０】
図１Ｃによれば、前記連結杭部３００は連結杭体３１０を備え、連結杭体３１０の柱面を梁の主筋に連結させ、連結杭体３１０の柱面は所定の位置に鉄筋連結部３１１を設置させる。鉄筋連結部３１１は連結バンプ３１２及び複数のスリーブ部３１３を備える。連結杭体３１０の一端には変化部３２０(変化部は杭体の形態に合わせて相異する円形の異なる形状で設置させる)及び面取り部３３１を有する接合部３３０を形成させ、連結杭体３１０の他端は打槌端３４０となる。
【００１１】
パイルドライバーにより打ち込み杭１００を円錐形マスク１３０から地面へ打ち込み、地面の所定の深度まで打ち込まれると、連結杭部３００の接合部３３０を打ち込み杭マスク１４０に接合させて連結させる。或いは、打ち込み杭１００の深度がパイル全体の所定の深度に達しない場合、延伸杭２００の第一延伸杭マスク２３０を打ち込み杭マスク１４０に接合させて連結させ、地面への打ち込みを継続させ、連結杭部３００の接合部３３０を第二延伸杭マスク２４０に接合させて連結させ、延伸を続けさせる。
【００１２】
もしプレキャストパイルをトップダウン工法に応用させるならば、打ち込み杭１００の打ち込み杭マスク１４０或いは延伸杭２００の第二延伸杭マスク２４０に接続部４００を設置させ、杭打槌５００を接続部４００に接続させて打ち込み杭１００、延伸杭２００を地面に打ち込む。
【００１３】
図１Ｂによると、接続部４００の第二延伸杭マスク２４０の中央部には開口部４１０を形成させ、パイプ部４２０を延伸杭２００内まで延伸させ、パイプ部４２０の環囲側から延伸させて溝部４３０を形成させ、パイプ部４２０の管壁周縁の溝部４３０から外径の外側に向かい陥没される箇所に所定の高さを保留させて接合部４４０を形成させる。
【００１４】
図１Ｄによれば、杭打槌５００は杭体打槌５１０及び杭体打槌５１０の一端に連結される接続部５２０を備え、杭打槌５００は接続部５２０を接続部４００を設ける打ち込み杭１００或いは延伸杭２００に接合させて連結させ、杭体打槌５１０の他端の打槌端５３０は打ち込み時の衝撃力を受ける。接続部５２０は杭体打槌５１０の一端のバンプ５２２に連結される挿入柱５２１を備える。挿入柱５２１はパイプ部４２０に、バンプ５２２は溝部４３０及び接合部４４０に互いに対応させ、挿入柱５２１が開口部４１０に位置を合わせ、バンプ５２２が溝部４３０に位置を合わせると、接続部５２０は開口部４１０からパイプ部４２０へと挿入され、バンプ５２２が接合部４４０の深度に達すると、杭打槌５００が回転しバンプ５２２を接合部４４０へ進入させ、杭打槌５００を接続部４００を設ける打ち込み杭１００或いは延伸杭２００に接合させて連結させる。図２Ａ乃至図２Ｃ及び図３Ａ乃至図３Ｆによると、プレキャストパイルを地下に打ち込みプレキャストパイルを用いてボトムアップ工法の建設ステップを進行させる。
【００１５】
まず、図２Ａによると、パイルの建設予定地にパイルドライバー９００によりプレキャストが完了した打ち込み杭１００を地下へ打ち込む。
【００１６】
図２Ｂによれば、延伸杭２００の第一延伸杭マスク２３０を打ち込み杭１００の打ち込み杭マスク１４０に立設させ、第一延伸杭マスク２３０と打ち込み杭マスク１４０とを溶接により接合させて連結させ、延伸杭２００を打ち込み杭１００に接続させる。打ち込み杭マスク１４０と第一延伸杭マスク２３０との内の何れか１つの端縁には面取り部２３１及び面取り部１４１を形成させ、溶接を行い延伸杭２００を続けて接続させる。
【００１７】
図２Ｃによると、延伸杭２００を地下へ打ち込む際に第二延伸杭マスク２４０がまだ地上に位置されるなら、連結杭部３００は接合部３３０を延伸杭２００の第二延伸杭マスク２４０に立設させ、溶接により接合させて連結させる。この際、第二延伸杭マスク２４０と連結杭部３００との内の何れか１つの端縁には面取り部２４１及び面取り部３３１を形成させ、溶接箇所９１０を溶接させてパイルの打ち込み作業を完成させる。
【００１８】
打ち込み作業完了後、図３Ａのように、連結杭部３００の柱面には複数の鉄筋連結部３１１を設置させ、連結杭部３００の最下方の鉄筋連結部３１１には、連結杭部３００を包囲させる橋あばら筋８１０を設置させ、相異する連結杭部３００の鉄筋連結部３１１のスリーブ部３１３の間には梁主筋７１０を連結させ且つ梁主筋７１０には梁あばら筋７２０を固定させ、橋あばら筋８１０の角には補強筋８２０を設置させて鉄筋連結作業を行う。続いて鋳型定盤を架設させ、コンクリート流し込み作業を行う。コンクリートが固まった後、図３Ｂによれば、固まったコンクリートにより梁主筋７１０及び梁あばら筋７２０を被覆させて梁７００を形成させ、固まったコンクリートは橋あばら筋８１０及び補強筋８２０を被覆させる橋体８３０となり、橋台８００を形成させる。
【００１９】
次に、図３Ｃ及び図３Ｅによると、相異するパイルの間の鉄筋連結作業及びコンクリート流し込み作業を反復して行い、各層の梁７００及び橋台８００を形成させる。
【００２０】
図３Ｄによれば、橋あばら筋８１０の角には延伸筋８２１を設置させる。続いて、図３Ｅのように、橋台８００の形成時に延伸筋８２１は橋体８３０の上面から突出させる。これにより、橋体８３０の上面から突出させる延伸筋８２１は続けて上に向けて延伸されて建設され、図３Ｆのように、延伸筋８２１とプレキャストの柱６００が連結され、続けて上に向けて延伸されて建設される。
【００２１】
図４Ａ乃至図４Ｈ、及び図５Ａ乃至図５Ｎによると、プレキャストパイルをトップダウン工法に応用する場合、プレキャストパイルを地下に打ち込み、プレキャストパイルにより複合杭構造のステップを施行させる。
【００２２】
図４Ａ及び図４Ｂによれば、パイルドライバー９００はプレキャストの完成した打ち込み杭１００を所定の打ち込み杭位置Ｐ１で地下に打ち込む。図４Ｂのように、設計されたパイルの深度に応じ、延伸杭２００を打ち込み杭１００に接合させて連結させ、続けて地面へ打ち込む。
【００２３】
図４Ｃによると、延伸杭２００の第二延伸杭マスク２４０の一端には接続部４００が形成され、接続部５２０により接続部４００に連結されて杭打槌５００を延伸杭２００に接合させてに連結させる。続けて延伸杭２００を地面へ打ち込む。
【００２４】
打ち込み杭位置Ｐ１の位置にあるパイルを所定の深度まで打ち込んだ後、打ち込み杭位置Ｐ１の位置にあるパイルの打ち込みステップと同様に打ち込み杭位置Ｐ２乃至打ち込み杭位置Ｐ４の打ち込み作業を続け、図４Ｄのように、杭打槌５００の上端は地面から突出させる。次に図４Ｅ乃至図４Ｇによれば、打ち込み杭位置Ｐ１乃至打ち込み杭位置Ｐ４の位置の杭打槌５００の間には補助フレーム９２０を設置させ、パイルを補助させて精確に打ち込み杭位置Ｐ５の位置に打ち込む。前記補助フレームは井の字型を呈し、打ち込み杭位置Ｐ１乃至打ち込み杭位置Ｐ４の杭打槌５００はそれぞれ位置決めロープ９２１により補助フレーム９２０に連結される。補助フレーム９２０の中央には打ち込み杭口９２２が形成され且つ周囲には仕切り物９２３が設けられる。続いて、打ち込み杭１００、延伸杭２００、及び連結杭部３００を打ち込み杭口９２２から地面へ打ち込む。
【００２５】
図４Ｈによると、補助フレーム９２０を取り除き、打ち込み杭位置Ｐ１乃至打ち込み杭位置Ｐ４の杭打槌５００と延伸杭２００との連結を解除させ、打ち込み杭位置Ｐ１乃至打ち込み杭位置Ｐ４の位置の杭打槌５００をそれぞれ地面から引き抜き延伸杭２００及び打ち込み杭１００を地中に保留させ、杭打槌５００を抜き出したために出来た坑穴を埋める。複数、例えば２つの複合杭構造の杭の打ち込みステップが完了すると図５Ａのような状態となる。
【００２６】
図５Ｂによれば、連結杭部３００の周囲及び近隣の地面を掘り、所定の高さ露出させる。図５Ｃのように、連結杭部３００の連結杭体３１０に鉄筋連結部３１１をそれぞれ設置させ、溶接により固設させる。
【００２７】
図５Ｄによると、連結杭部３００の所定の位置に鉄筋連結部３１１を設置させた後、連結杭部３００を包囲させる橋あばら筋８１０を設置させて、相異する連結杭部３００の鉄筋連結部３１１のスリーブ部３１３の間に梁主筋７１０を連結させて梁あばら筋７２０を固定させ、橋あばら筋８１０の角には補強筋８２０或いは延伸筋８２１を更に設置させて、相異するパイルの間の鉄筋の連結作業を行い、鋳型定盤を架設させてコンクリートの流し込み作業を行う。
【００２８】
図５Ｅによれば、固まったコンクリートにより梁主筋７１０及び梁あばら筋７２０を被覆させて梁７００を形成させ、固まったコンクリートは橋あばら筋８１０及び補強筋８２０を被覆させる橋体８３０となり、橋台８００を形成させる。
【００２９】
橋台８００の形成時、延伸筋８２１は橋体８３０の上面から突出させる。また、図５Ｆのように、延伸筋８２１とプレキャストの柱６００とを連結させ、続けて上に向けて延伸させて建設させる。
【００３０】
図５Ｇ乃至図５Ｉによると、パイルの間の鉄筋の連結作業及びコンクリートの流し込み作業を反復して行い、梁７００及び橋台８００を形成させる。図５Ｊのように、所定の深度まで土砂を掘り先に地下まで打ち込まれた打ち込み杭位置Ｐ１乃至打ち込み杭位置Ｐ４に位置される延伸杭２００を露出させる。
【００３１】
図５Ｋによれば、連結杭部３００の所定の位置には鉄筋連結部３１１を設置させ、図５Ｌによれば、外に露出される延伸杭体２２０を解体させ、固まったコンクリートを除去し、鉄筋籠２１０を外に露出させる。
【００３２】
図５Ｍによると、外に露出される打ち込み杭位置Ｐ１乃至打ち込み杭位置Ｐ４の延伸杭２００の上端の鉄筋籠２１０を包囲させる橋あばら筋８１０を設置させ、相異する連結杭部３００の鉄筋連結部３１１のスリーブ部３１３の間には梁主筋７１０が連結され且つ梁主筋７１０は梁あばら筋７２０を固定させ、複合杭橋台の鉄筋の括り付け及び相異するパイルの間の鉄筋の連結作業を行う。
【００３３】
鋳型定盤を架設させてコンクリート流し込み作業及びコンクリート固めを行い、図５Ｎのように、固まったコンクリートにより梁主筋７１０及び梁あばら筋７２０を被覆させて梁７００を形成させ、固まったコンクリートは橋あばら筋８１０及び鉄筋籠２１０を被覆させる複合橋体８４０となり、橋台８００を形成させる。梁主筋７１０は主杭の連結杭部３００の柱面から突出させ橋台８００へ進入させる連結筋となり、橋台８００を更に突出させ他の主杭の連結杭部３００の柱面へ連結させて、梁の梁主筋７１０とする。
【００３４】
以上、本考案はこのような実施形態に限定されるものではなく、考案の趣旨を逸脱しない範囲において、種々の形態で実施することができる。
【符号の説明】
【００３５】
１００      打ち込み杭
１１０      鉄筋籠
１１１      主筋
１１２      あばら筋
１２０      杭体
１３０      円錐形マスク
１４０      打ち込み杭マスク
１４１      面取り部
２００      延伸杭
２１０      鉄筋籠
２１１      主筋
２１２      あばら筋
２２０      延伸杭体
２３０      第一延伸杭マスク
２３１      面取り部
２４０      第二延伸杭マスク
２４１      面取り部
２５０      接続部
２５１      開口部
２５２      パイプ部
２５３      溝部
２５４      接合部
３００      連結杭部
３１０      連結杭体
３１１      鉄筋連結部
３１２      連結バンプ
３１３      スリーブ部
３２０      変化部
３３０      接合部
３３１      面取り部
３４０      打槌端
４００      接続部
４１０      開口部
４２０      パイプ部
４３０      溝部
４４０      接合部
５００      杭打槌
５１０      杭体打槌
５２０      接続部
５２１      挿入柱
５２２      バンプ
５３０      打槌端
６００      柱
７００      梁
７１０      梁主筋（連結筋）
７２０      梁あばら筋
８００      橋台
８１０      橋あばら筋
８２０      補強筋
８２１      延伸筋
８３０      橋体
８４０      複合橋体
９００      パイルドライバー
９１０      溶接箇所
９２０      補助フレーム
９２１      位置決めロープ
９２２      打ち込み杭口
９２３      仕切り物
Ｐ１        打ち込み杭位置
Ｐ２        打ち込み杭位置
Ｐ３        打ち込み杭位置
Ｐ４        打ち込み杭位置
Ｐ５        打ち込み杭位置
【図１Ａ】
0003181886.tif 000003
【図１Ｂ】
0003181886.tif 000004
【図１Ｃ】
0003181886.tif 000005
【図１Ｄ】
0003181886.tif 000006
【図２Ａ】
0003181886.tif 000007
【図２Ｂ】
0003181886.tif 000008
【図２Ｃ】
0003181886.tif 000009
【図３Ａ】
0003181886.tif 000010
【図３Ｂ】
0003181886.tif 000011
【図３Ｃ】
0003181886.tif 000012
【図３Ｄ】
0003181886.tif 000013
【図３Ｅ】
0003181886.tif 000014
【図３Ｆ】
0003181886.tif 000015
【図４Ａ】
0003181886.tif 000016
【図４Ｂ】
0003181886.tif 000017
【図４Ｃ】
0003181886.tif 000018
【図４Ｄ】
0003181886.tif 000019
【図４Ｅ】
0003181886.tif 000020
【図４Ｆ】
0003181886.tif 000021
【図４Ｇ】
0003181886.tif 000022
【図４Ｈ】
0003181886.tif 000023
【図５Ａ】
0003181886.tif 000024
【図５Ｂ】
0003181886.tif 000025
【図５Ｃ】
0003181886.tif 000026
【図５Ｄ】
0003181886.tif 000027
【図５Ｅ】
0003181886.tif 000028
【図５Ｆ】
0003181886.tif 000029
【図５Ｇ】
0003181886.tif 000030
【図５Ｈ】
0003181886.tif 000031
【図５Ｉ】
0003181886.tif 000032
【図５Ｊ】
0003181886.tif 000033
【図５Ｋ】
0003181886.tif 000034
【図５Ｌ】
0003181886.tif 000035
【図５Ｍ】
0003181886.tif 000036
【図５Ｎ】
0003181886.tif 000037
【手続補正書】
【提出日】平成24年12月20日(2012.12.20)
【手続補正１】
【補正対象書類名】実用新案登録請求の範囲
【補正対象項目名】全文
【補正方法】変更
【補正の内容】
【実用新案登録請求の範囲】
【請求項１】
打ち込み杭と、延伸杭と、連結杭部を備え、
前記打ち込み杭は、複数本の主筋及びこれら前記主筋を包囲するあばら筋からなり、前記主筋と前記あばら筋との交叉する箇所は対向する位置で固定される鉄筋籠と、コンクリートにより前記鉄筋籠を被覆して形成され、その一端には尖端を形成させる打ち込み杭と、前記尖端を被覆させる円錐形マスクを更に含み、
前記延伸杭は、複数本の主筋及びこれら前記主筋を包囲するあばら筋からなり、前記主筋と前記あばら筋との交叉する箇所は対向する位置で固定される鉄筋籠と、コンクリートにより前記鉄筋籠を被覆させて形成される延伸杭体と、前記延伸杭体の一端を被覆し、前記打ち込み杭の他端に接続させる第一延伸杭マスクを更に含み、
前記連結杭部は、連結杭体と、前記連結杭体の一端に位置され、前記連結杭部は前記接合部を前記打ち込み杭マスクに接合させて連結させ、前記打ち込み杭の他端に接続させる接合部を更に含む
事を特徴とするプレキャストパイル。
【請求項２】
少なくとも前記連結杭部は、建築基準面上に立設される主杭と、互いに距離を空けながら前記建築基準面に立設され且つ前記主杭の周囲に立設され、これらの上端の主筋は外に露出される複数本の副杭と、橋台を備え、前記橋台は、これら前記副杭を包囲させ、これら前記副杭の主筋との交叉する箇所を固定させる少なくとも１つのあばら筋と、コンクリートを流し込みこれら前記副杭及び前記あばら筋を被覆させる複合橋体を更に含む事を特徴とする請求項１記載のプレキャストパイル。